(57)【要約】【課題】ショルダーバッグや手提げバッグとして利用できることは勿論、鉢植え収納用のプランターとしても利用でき、しかも、低コストで製造可能な収納用具を提供する。【解決手段】収納用具１は、正面部５と、該正面部に対向する背面部６と、正面部５及び背面部６のそれぞれに連なる底面部７とから構成されている。正面部５と背面部６は、それぞれ、外縁を成す縁部材１１と、該縁部材の内側領域に張設された面部材１３とを含んで構成されている。縁部材１１は、芯材を布でカバーしたもので構成され、環状に形成されている。各縁部材１１の内側の円形領域は２分割され、一方の三日月状領域にのみ面部材１３が張設され、他方の非張設領域１５は貫通状態である。収納用具１は、手提げバッグやショルダーバッグとして利用できることは勿論、載置してプランターとして利用できる。プランターとして利用する場合には、底部に回転防止部材を設ける。【選択図】図２
0003138569.tif 000002
【実用新案登録請求の範囲】
【請求項１】
物品を収納するための内側空間を有する収納部と、持ち運びを容易にするための把持部とを有する収納用具において、
正面部(5)と、
前記正面部(5)に対向する背面部(6)と、
前記正面部(5)及び背面部(6)のそれぞれに連なる底面部(7)と、を含んで構成され、
前記正面部(5)及び背面部(6)がそれぞれ、外縁を成す縁部材(11)と、該縁部材の内側領域に張設された面部材(13)と、を含んで構成され、
前記縁部材(11)の一部が把持部(10)を形成している
ことを特徴とする収納用具。
【請求項２】
前記縁部材(11)は、芯材を含んで構成され、環状又は多角形状に形成されていることを特徴とする請求項１記載の収納用具。
【請求項３】
前記収納用具がバッグであることを特徴とする請求項１記載の収納用具。
【請求項４】
前記バッグが畳み込み自在に構成されていることを特徴とする請求項３記載の収納用具。
【請求項５】
前記収納用具がプランターであり、載置した状態での収納用具の回転を防止するための回転防止部材(23)(24)を有していることを特徴とする請求項１記載の収納用具。
【請求項６】
前記回転防止部材(23)(24)が着脱自在に構成されていることを特徴とする請求項５記載の収納用具。
【考案の詳細な説明】
【技術分野】
【０００１】
本考案は、新たな形態の収納用具に関し、具体的には、バッグやプランターとして幅広く利用可能な形状，構造の収納用具に関する。
【背景技術】
【０００２】
物品を収納するための収納用具としては、主にショルダーバッグや手提げバッグなどが挙げられ、従来より様々な形態のバッグが提供されるに至っている。
【考案の開示】
【考案が解決しようとする課題】
【０００３】
スーパーなどのレジで配布されるレジ袋は、全国で年間２８０億枚と膨大な数となっており、その数の多さから、資源の無駄遣い、焼却による地球温暖化、ポイ捨てなどによる自然への影響など、我々の想像以上に地球環境に対して大きな影響を与えている。
したがって、環境汚染を軽減する観点から、マイバッグやエコバッグなどを広く一般に普及させて、レジ袋の使用自粛を促進させる必要がある。
そのためには、従来のように単に収納性を備えているバッグではなく、デザイン的にもコスト的にも満足でき、しかも収納性以外の付加機能を備えた新たな収納用具を提供する必要がある。
そこで、本考案の目的は、ショルダーバッグや手提げバッグなどとして利用できることは勿論、鉢植え収納用のプランターとしても利用でき、しかも、部品点数が少なくて低コストで製造可能な収納用具を提供することにある。
【課題を解決するための手段】
【０００４】
上記本考案の目的は、物品を収納するための内側空間を有する収納部と、手で掴んで持ち運びを可能にするための把持部とを有する収納用具であって、
正面部と、前記正面部に対向する背面部と、前記正面部及び背面部のそれぞれに連なる底面部と、を含んで構成され、
前記正面部及び背面部がそれぞれ、外縁を成す縁部材と、該縁部材の内側領域に張設された面部材と、を含んで構成され、
前記縁部材の一部が把持部を形成していることを特徴とする収納用具によって達成される。
【０００５】
上記構成の収納用具において、前記縁部材は、芯材を含んで構成され、環状又は多角形状に形成されている。
また、前記正面部の面部材と、前記背面部の面部材と、底面部とによって収納部が形成されている。
また、前記縁部材の内側空間は２領域に分割され、一方の領域にのみ面部材張設されている。
また、対向する前記正面部及び背面部は、開閉自在の留め具を備えている。
また、前記把持部は、屈曲可能に構成されている
【０００６】
上記構成の収納用具は、実施形態の一例としてはバッグであり、また別の例としてはプランターである。
収納用具をプランターとして使用する場合には、載置した状態での収納用具の回転を防止するための回転防止部材を有していることが好ましい。かかる回転防止部材が着脱自在に構成されていることが好ましい。
【考案の効果】
【０００７】
本考案によれば、収納用具は、主として正面部と背面部と底面部とから構成されるので、部品点数が少なく低コストで製造できる。
また、畳み込み可能に構成されているので、コンパクトに折り畳んだ状態（又はひとかたまりに丸め込んだ状態）で常時携帯することができる。したがって、本考案の収納用具は、レジ袋の代替品となり得るエコバックやマイバッグの使用頻度を向上させ、ひいては環境汚染の緩和に寄与できる。
また、バッグとして使用できるのは勿論のこと、植木鉢等を収納可能なプランターとしても利用できるので、これを広く普及させることにより緑化を推進させることもできる。その結果、地球温暖化の緩和に寄与できることとなる。
【考案を実施するための最良の形態】
【０００８】
本考案は、バッグやプランターとして利用可能な収納用具に係るものであり、その外観の一例を図１（写真）に示す。なお、図１に示す収納用具は、本考案の理解のし易さを考慮して一例として示されるものであり、請求の範囲内で種々の改変があることに留意されたい。
以下、バッグ及びプランターの各実施形態について説明する。
【０００９】
（バックとしての実施形態）
図２及び図３に基づいて本考案に係る収納用具のバッグとしての実施形態について説明する。
図２は、本考案に係る収納用具であって、バックとしての実施形態を示す図である。
図３は、図２の収納用具を折畳む様子を示す図である。
【００１０】
収納用具１は、主として、略円形状の正面部５と、該正面部に対向する背面部６と、正面部５及び背面部６のそれぞれに連なる底面部７とから構成されている。向かい合う正面部５と背面部６は同様の形態を有している。底面部７は、正面部５と背面部６の下方外縁に沿って張設され、収納用具全体の底面を成している。
【００１１】
底面部７を挟んで対向する略円形の正面部５と背面部６は、それぞれ、外縁を成す縁部材１１と、該縁部材の内側領域に張設された面部材１３と、を含んで構成されている。正面部５の面部材１３と、背面部６の面部材１３と、底面部７とによって、物品を収納するための収納部（内空部）が形成されている。なお、添付図面には図示されていないが、正面部５及び背面部６の内側には、ファスナー、チャック、その他の開閉自在の留め具が装備されている。
【００１２】
正面部５と背面部６の外縁を成す縁部材１１は、線状の芯材を布等でカバーしたもので構成され、環状に形成されている。なお、図示する実施形態では縁部材１１を略円形状に形成しているが、楕円形状に形成してもよく、あるいは、四角形その他の多角形状に形成してもよい。したがって、正面部５と背面部６の形状も、円形に限られず、楕円形状に形成してもよく、あるいは、四角形その他の多角形状に形成してもよい。
【００１３】
各縁部材１１に含まれる芯材の材質は特に限定されず、金属製や樹脂製の線材を用いることができる。また、各縁部材１１に含まれる芯材の本数は特に限定されず、例えば、１本の芯材を環状や多角形状に形成したものを含んでいてもよく、或いは、２本以上の芯材を分割して含んでいてもよい。
ただし、後述するように、収納用具１に折畳み性を持たせる場合には、芯材は弾性のある樹脂材料から形成されることが好ましい。また、複数の間接位置で折り畳みできるように、屈曲可能な間接部を芯材に設けてもよい。勿論、芯材を形状記憶合金で形成してもよい。
【００１４】
各縁部材１１の内側にある略円形空間は２領域に分割され、一方の領域（略三日月状の領域）にのみ面部材１３が張設されており、他方の非張設領域１５は貫通状態である。張設すべき面部材１３の材質は特に限定されず、具体例を挙げれば、布、不織布、ヤシ繊維等から成る織物、レザー、半透明ビニール、透明ビニール、色付き半透明ニール、色付き透明ニール、メッシュ状の布などの各種材質を利用することができる。なお、底面部７は、正面部５と背面部６に張設された面部材１３と同様の材質で形成される。
【００１５】
また、上記縁部材１１において、布等の面部材１３が張設されていない他方の貫通領域（非張設領域１５）には、手通しすることが可能であり、その結果、縁部材１１の一部分が把持部１０を成している。したがって、本実施形態に係る収納用具１は、手提げバッグとして利用することも可能であるし、また、貫通領域（非張設領域１５）に手を通してショルダーバッグとして利用することも可能である。
【００１６】
その他、図示していないが、正面部５及び背面部６には、それぞれ、形態電話や音楽プレーヤー等を収納可能なポケットなどが設けられていてもよい。
【００１７】
上記構成の収納用具は、図３に示すように畳み込み可能に構成されている。
具体的には、図３（Ａ）→（Ｂ）に示すように、把持部１０がその付け根部分ａ，ｂにおいて屈曲可能に構成されている。また、図３（Ｂ）→（Ｃ）に示すように、把持部１０を屈曲させた状態で、さらに全体を半分に折畳むことができるようになっている。
【００１８】
なお、本考案の収納用具に求められる畳み込み性は、図示するように規則的に折り返して畳むような態様でもよく、或いは、収納用具の全体を不規則にひとかたまりに丸め込むような態様でもよい。
【００１９】
いずれの態様であっても、畳み込み性を確保する観点から、縁部材１１に含まれる芯材は、弾性のある樹脂材料であることが好ましい。また、当該樹脂材料の弾性は、畳み込んだ収納用具が速やかに原形に復帰できる程度であることが好ましい。
【００２０】
（プランターとしての実施形態）
図４には、プランターとしての態様の収納用具２を示す。
図４に示す収納用具２は、図示するとおり、ほとんどの点において図２に示す収容用具１と同様の形態を有している。以下相違点についてのみ説明する。
【００２１】
収納用具２はプランターとして構成されており、図示するとおり、鉢植えを収納できるようになっている。したがって、縁部材１１に張設される面部材１３としては、植物性、樹脂性、又は金属製の線材を網状に形成したものを用いてもよい。
収納用具２には、必要に応じて、鉢植え用の受け皿２１が備え付けられていても良い。
【００２２】
把持部１０は、バッグの場合と同様に手持ちできるようになっているが、プランターを壁掛けする場合にはフックに引っ掛けることもできる。したがって、収納用具２をプランターとして構成する場合には、縁部材１１に含まれる芯材は、硬質の金属製又は樹脂製であることが好ましい。
【００２３】
また、収納用具２をプランターとして使用する場合には、壁掛け以外にも、テーブルや床に載置して使用することも考えられるから、かかる態様での姿勢安定性を確保する必要がある。そこで、図４に示すように、収納用具２には、該収納用具の回転を防止するための回転防止部材２３が設けられている。
【００２４】
図４に示す回転防止部材２３は、着脱自在に構成されていることが好ましく、例えば市販のクリップのような形態のものを利用することができる。
【００２５】
また、回転防止部材の他の例としては、図５に示すような回転止めプレート２４を用いることもできる。図５において、回転止めプレート２４は、収納用具２の底面部７にマジックテープ（登録商標）やファスナーにより着脱自在に装着されている。
【００２６】
上述したような回転防止部材２３または回転止めプレート２４を設けることにより、これらが収納用具２の回転方向において障害となるので、収納用具２の回転を確実に防止でき、安定姿勢を保持することができる。また、着脱自在に設けることにより、室内では回転防止部材２３または回転止めプレート２４を取り付けてプランターとして利用し、また、外出時にはこれを取り外してバッグとして利用することもできる。
【図面の簡単な説明】
【００２７】
【図１】本考案に係る収納用具の一例を示す写真である。
【図２】本考案に係る収納用具を示す正面図及び側面図である。
【図３】図２の収納用具を折り畳む様子を示す図である。
【図４】本考案に係る収納用具を示す正面図及び側面図である。
【図５】本考案に係る収納用具を示す正面図及び側面図である。
【符号の説明】
【００２８】
１      収納用具（バッグ）
２      収納用具（プランター）
５      正面部
６      背面部
７      底面部
１０    把持部
１１    縁部材
１３    面部材
１５    非張設領域（貫通領域）
２１    受け皿
２３    回転防止部材
２４    回転止めプレート
【図２】
0003138569.tif 000003
【図３】
0003138569.tif 000004
【図４】
0003138569.tif 000005
【図５】
0003138569.tif 000006
【図１】
0003138569.tif 000007